(57)【要約】【課題】  除菌灯の耐久性を向上させることができるとともに除菌灯駆動電流が低下している場合でも必要な除菌性能を得ることのできる湯水除菌装置を提供する。【解決手段】    点灯時に湯水の除菌を行う除菌灯１８と、除菌灯１８を点灯させる駆動電流を出力するインバータ回路２１と、インバータ回路２１のオン／オフ制御を行う制御部２０とを備える。制御部２０は、除菌運転を開始すると、インバータ回路２１に除菌灯点灯指令を出力するオン制御状態と、除菌灯消灯指令を出力するオフ制御状態とに、間欠的かつ自動的に切り替わるよう構成されるとともに、除菌灯駆動電流の大きさに応じて除菌運転モード時のオン制御状態の占める時間とオフ制御状態の占める時間との比率を調整するよう構成されている。【選択図】図１
2018134622.tif 000002
【特許請求の範囲】
【請求項１】
点灯時に湯水の除菌を行う除菌灯と、該除菌灯を点灯させる駆動電流を前記除菌灯に出力する除菌灯駆動回路と、該除菌灯駆動回路のオン／オフ制御を行う制御部とを備え、該制御部は、除菌運転モードと除菌運転停止モードとに切替可能に構成され、除菌運転モード時には前記除菌灯駆動回路のオン制御状態とオフ制御状態とに間欠的かつ自動的に切り替わるよう構成されるとともに、前記駆動電流の大きさに応じて除菌運転モード時の前記オン制御状態の占める時間と前記オフ制御状態の占める時間との比率を調整するよう構成されている、湯水除菌装置。
【請求項２】
請求項１に記載の湯水除菌装置において、前記制御部は、前記駆動電流が大きいほど前記オン制御状態の占める時間の割合が小さくなるよう構成されている、湯水除菌装置。
【請求項３】
請求項１又は２に記載の湯水除菌装置において、前記制御部は、前記駆動電流の電源として前記除菌灯駆動回路に供給される電源電圧に基づいて前記駆動電流の大きさを推定する、湯水除菌装置。
【請求項４】
請求項１，２又は３に記載の湯水除菌装置において、前記制御部は、前記除菌灯駆動回路の発振周波数に基づいて前記駆動電流の大きさを推定する、湯水除菌装置。
【発明の詳細な説明】
【技術分野】
【０００１】
本発明は、風呂の湯水追い焚き用循環配管や湯水供給配管等に付設されて配管等の内部流通する湯水の除菌を行う湯水除菌装置に関する。
【背景技術】
【０００２】
従来より、下記の特許文献１にも開示されているように、浴槽内の湯水の保温や追い焚き時に、循環配管内を流れる湯水に対して紫外線照射することにより除菌を行う湯水除菌装置が開発されている。
【０００３】
紫外線照射を行う除菌灯としては、蛍光管式の熱陰極管が広く用いられている。熱陰極管は、インバータ回路によって点灯駆動される。
【先行技術文献】
【特許文献】
【０００４】
【特許文献１】特開２００６−２８４０２９号公報
【発明の概要】
【発明が解決しようとする課題】
【０００５】
上記除菌灯には定格電流（定格電力）が定められており、除菌灯駆動電流（駆動電力）が定格範囲内で動作させることが寿命の確保の観点からも望ましいが、駆動電流が上昇若しくは低下するようなインバータ回路の故障や除菌灯の異常が発生している場合でも、従来の除菌灯駆動回路では除菌灯の点灯中に異常検知を行えなかった。駆動電流が定格範囲よりも大きい場合には、熱陰極フィラメントの温度が上昇し、フィラメントに塗布されているエミッターの消耗が激しくなるため、除菌灯の寿命が大幅に短くなる可能性がある。一方、設定している条件よりも駆動電流が小さいと、紫外線照射量も不十分なものとなり、必要な除菌性能を得ることができなくなる。
【０００６】
そこで、本発明は、除菌灯の耐久性を向上させることができるとともに除菌灯駆動電流が低下している場合でも必要な除菌性能を得ることのできる湯水除菌装置を提供することを目的とする。
【課題を解決するための手段】
【０００７】
本発明は、上記目的を達成するために、次の技術的手段を講じた。
【０００８】
すなわち、本発明の湯水除菌装置は、点灯時に湯水の除菌を行う除菌灯と、該除菌灯を点灯させる駆動電流を前記除菌灯に出力する除菌灯駆動回路と、該除菌灯駆動回路のオン／オフ制御を行う制御部とを備え、該制御部は、除菌運転モードと除菌運転停止モードとに切替可能に構成され、除菌運転モード時には前記除菌灯駆動回路のオン制御状態とオフ制御状態とに間欠的かつ自動的に切り替わるよう構成されるとともに、前記駆動電流の大きさに応じて除菌運転モード時の前記オン制御状態の占める時間と前記オフ制御状態の占める時間との比率を調整するよう構成されている（請求項１）。
【０００９】
かかる本発明の湯水除菌装置によれば、制御部は、除菌運転モード時に、除菌灯駆動回路のオン制御状態（例えば、除菌灯駆動回路に対してＨｉｇｈ信号などの除菌灯ＯＮ指令信号を出力する状態）と、オフ制御状態（例えば、除菌灯駆動回路に対してＬｏｗ信号などの除菌灯ＯＦＦ指令信号を出力する状態）とに間欠的かつ自動的に切り替わる。これにより、除菌運転が長時間行われる場合に、適当なタイミングで除菌灯を消灯させる期間を設けることで、消費電力を低減しつつも除菌性能を確保できる。さらに、制御部は、除菌灯駆動電流の大きさに応じて除菌運転モード時のオン制御状態の占める時間とオフ制御状態の占める時間との比率を調整するよう構成されているので、駆動電流の大きさに除菌運転モード時の除菌灯点灯時間比率を、除菌性能を確保しつつできるだけ消費電力を低減させるように最適に自動調節できる。
【００１０】
なお、駆動電流の大きさに応じた前記比率の調整は、駆動電流の大きさに対して前記比率がリニアに若しくは所定の対応関係に基づいて調整されるものであってもよいし、駆動電流の大きさが正常範囲を逸脱したことを判定するための所定の閾値を超えた場合に比率を所定量調整するものであってもよいし、その他適宜の調整方法を採用できる。また、上記「オン制御状態」及び「オフ制御状態」は、オン指令信号又はオフ指令信号を継続的に出力している状態であってもよいし、また、単発のオン指令パルスやオフ指令パルスによって除菌灯駆動回路がオン／オフ制御可能に構成されている場合は、オン指令パルスを送出した後オフ指令パルスを送出するまでの期間が「オン制御状態」となり、オフ指令パルスを送出した後オン指令パルスを送出するまでの期間が「オフ制御状態」となる。
【００１１】
上記本発明の湯水除菌装置において、前記制御部は、前記駆動電流が大きいほど前記オン制御状態の占める時間の割合が小さくなるよう構成されていることが好ましい（請求項２）。これによれば、駆動電流が比較的大きい場合には除菌灯から照射される紫外線量が増加する一方で除菌灯のフィラメントの劣化が促進されるため、オン制御状態の占める時間の割合を小さくすることで、必要な除菌性能を確保しつつも消費電力の削減、フィラメントの寿命向上を図ることができる。
【００１２】
また、前記制御部は、前記駆動電流の大きさを検出する駆動電流検出回路の出力に基づいて駆動電流の大きさを判定するよう構成できるが、本発明はかかる構成に限定されず、例えば、前記駆動電流の電源として前記除菌灯駆動回路に供給される電源電圧に基づいて前記駆動電流の大きさを推定するものであってもよいし（請求項３）、また、前記除菌灯駆動回路の発振周波数に基づいて前記駆動電流の大きさを推定するものであってもよい（請求項４）。すなわち、除菌灯点灯時の除菌灯周辺回路のインピーダンス及びインダクタンスはほぼ一定であるため、駆動電流の大きさは、除菌灯駆動回路に供給される電源電圧や発振周波数にほぼ比例する。したがって、これら電源電圧や発振周波数に基づいて駆動電流の大きさを推定できる。なお、「駆動電流の大きさの推定」とは、「駆動電流の大きさに応じて除菌運転モード時の前記オン制御状態の占める時間と前記オフ制御状態の占める時間との比率を調整する」にあたって、駆動電流値そのものではなく駆動電流にほぼ比例する関係のある上記電源電圧や発振周波数の大きさを駆動電流の大きさとして用いることを包含する概念であり、上記電源電圧や発振周波数に基づいて駆動電流値を演算により求めることは必ずしも必要ではなく、上記電源電圧及び／又は発振周波数の大きさに基づいて除菌運転モード時の前記オン制御状態の占める時間と前記オフ制御状態の占める時間との比率を調整するものを実施形態として包含する。
【００１３】
また、前記制御部は、前記比率の調整を行った後、前記除菌運転モードに関連する所定の動作が実行されないように動作制限を行うよう構成されていてもよい。これによれば、前記比率が初期値から変更された場合には異常状態であるものとして、例えば、除菌運転時間の設定の際に６時間を超える長時間運転設定が行われないように設定動作制限を行ったり、たとえ長時間運転設定がなされていても所定時間を超える除菌運転モードの継続動作を禁止するなどの動作制限を行うことができる。
【発明の効果】
【００１４】
本発明の湯水除菌装置によれば、除菌灯の耐久性を向上させることができるとともに、除菌灯駆動電流が低下している場合でも必要な除菌性能を得ることができる。
【図面の簡単な説明】
【００１５】
【図１】本発明の一実施形態に係る湯水除菌装置としての除菌機能付き給湯装置の作動原理図である。
【図２】同湯水除菌装置の回路図である。
【図３】同湯水除菌装置の除菌灯点灯時間調整処理のフローチャートである。
【図４】本発明の別の実施形態に係る湯水除菌装置の回路図である。
【図５】同湯水除菌装置の除菌灯点灯時間調整処理のフローチャートである。
【発明を実施するための形態】
【００１６】
以下、本発明の実施形態を図面に基づいて説明する。
【００１７】
図１は本発明の一実施形態に係る湯水用除菌装置としての除菌機能付き給湯装置１を示しており、該給湯装置１は、水道水等の浄水を給水源として給湯栓への給湯機能を実現する主給湯路２、浴槽内湯水を給水源として浴槽内湯水を追い焚き加熱した後に浴槽に戻す追い焚き給湯機能を実現する追い焚き給湯路３、浴槽への湯張りや足し湯等のために主給湯路２から追い焚き給湯路３へ湯水を供給する注湯用給湯路４を備えている。これら主給湯路２及び注湯用給湯路４の構成並びに動作は従来周知であるので詳細説明を省略する。
【００１８】
追い焚き給湯路３は、追い焚き機能を実現するために、浴槽（図示せず）の循環アダプタと追焚用熱交換器５との間に配管された戻り路６及び往き路７から主構成される循環回路により構成され、浴槽内に湯張りされた浴槽湯水を所定温度まで追い焚き加熱し得るようになっている。すなわち、循環ポンプ８の作動により浴槽から戻り路６を通して追焚用熱交換器５に浴槽湯水が供給され、かかる浴槽湯水が燃焼バーナ９で発生する燃焼熱により追焚用熱交換器５で熱交換加熱されて追い焚きされ、追い焚き後の湯水が往き路７を介して浴槽に戻されるよう構成され、戻り路６を通過する湯水の温度が所定の目標温度となるまで追い焚きされるようになっている。
【００１９】
循環ポンプ８は戻り路６及び往き路７のいずれか一方（図例では戻り路６）に介装されている。戻り路６には、流れを検知して後述のマイコン２０（制御部）に検知信号を出力する水流スイッチ１０や、戻り路６内を通過する浴槽湯水の温度を検出する戻り温度センサ１１が設けられている。往き路７には、追い焚き後の湯水の温度を検出する往き温度センサ１２が設けられている。
【００２０】
また、戻り路６の途中には、ＵＶランプ１８（除菌灯）を内蔵するＵＶユニットが設けられており、ＵＶユニット内を浴槽湯水が通過する際にＵＶランプ１８が照射する紫外線によって浴槽湯水の除菌を行えるようになっている。なお、除菌運転を行う場合には、燃焼バーナ９を燃焼動作させることなく循環ポンプ８を作動させることによって循環回路に浴槽内湯水を循環させつつ、除菌灯１８を点灯させることによって浴槽内の湯水の除菌を行うが、追い焚き加熱中（風呂自動保温運転時を含む。）にＵＶランプ１８による除菌を行うこともできる。
【００２１】
なお、図１中の符号１３は、給湯用燃焼バーナ１４や追焚用燃焼バーナ９に燃料ガスを供給するためのガス供給管路であり、該ガス供給管路１３には、元ガス電磁弁ＳＶ、ガス比例弁１５、追焚用燃焼バーナ９への燃料ガスの供給を行うか否かを切り替える追い焚き用電磁弁１６、給湯用燃焼バーナ１４の燃焼能力の切り替えを行うための複数の能力切替弁１７が設けられている。
【００２２】
また、本実施形態の給湯装置１は、主給湯路２、追い焚き給湯路３及び注湯用給湯路４による各給湯動作を制御するための制御部２０を備えており、該制御部２０はマイクロコンピュータにより主構成されている。制御部２０上には、上記水流スイッチ１０、戻り温度センサ１１、往き温度センサ１２を含む各種センサや、循環ポンプ８、元ガス電磁弁ＳＶ、比例弁１５、追い焚き用電磁弁１６、能力切換弁１７を含む各種アクチュエータに対する入出力インターフェース回路（図示せず）が実装されている。
【００２３】
さらに、給湯装置１は、電源ユニットＰ１と、ＵＶランプ１８を点灯駆動するための交流電圧を生成してＵＶランプ１８にワイヤーハーネスＷを介して出力するＵＶコントローラ基板Ｂ２（除菌灯駆動基板）とを、制御部２０とは別個のユニットとして備えており、電源ユニットＰ１及びＵＶコントローラ基板Ｂ２には、漏電ブレーカ１９を介して商用交流電源が元電源として接続されている。また、電源ユニットＰ１は、制御部２０に所定の電源電圧（例えば１５Ｖ電源電圧）を供給する。制御部２０には、電源ユニットＰ１から供給される電源電圧を低電圧（例えば５Ｖ）に降圧するレギュレータが設けられ、該低電圧はマイクロコンピュータ等の電源電圧として利用できるようになっている。
【００２４】
図２は、主としてＵＶコントローラ基板Ｂ２の回路構成を示している。ＵＶコントローラ基板Ｂ２上には、定電圧制御された１００Ｖ直流電源電圧を商用交流電源から生成する絶縁型コンバータ（好適にはフライバックコンバータ）からなる電源回路Ｐ２と、上記１００Ｖ直流電源電圧から除菌灯駆動用の交流電圧を生成出力するインバータ回路２１（除菌灯駆動回路）とが実装されている。
【００２５】
インバータ回路２１は、上記１００Ｖ直流電源電圧から高周波乃至低周波の除菌灯駆動用交流電圧を変換出力する。該インバータ回路２１は、複数のスイッチング素子をブリッジ接続してなるインバータブリッジ２２（図示例ではハーフブリッジ）と、該インバータブリッジ２２を構成するスイッチング素子にＰＷＭ制御された駆動パルス信号を出力するゲートドライバ２３と、上記駆動パルス信号のスイッチング周波数を設定するための周波数設定回路としてのＲＣ直列回路２４とを備えて構成されている。
【００２６】
ゲートドライバ２３の動作用の電源電圧も上記１００Ｖ直流電源電圧とは別に必要となるが、本実施形態では、電源回路Ｐ２から直流１５Ｖ電源電圧をも生成出力し、この１５Ｖ電源電圧を除菌灯ＯＮ／ＯＦＦ回路３１及び定電圧制御回路３２（三端子レギュレータなど）を介して１２Ｖ電源電圧に変換出力し、該１２Ｖ電源電圧をゲートドライバ２３に電源として供給するよう構成している。なお、上記の電源電圧値はいずれも例示であって、適宜の電圧値として設計できる。
【００２７】
除菌灯ＯＮ／ＯＦＦ回路３１は、ＦＥＴやトランジスタなどの適宜のスイッチング素子によって構成でき、制御部２０から点灯指令信号（例えばＨｉｇｈ信号）が供給されているときは導通動作して、これにより定電圧制御回路３２が１２Ｖ電源電圧を生成出力してゲートドライバ２３を動作させるが、点灯指令信号が供給されていないとき（例えばマイコン出力がＬｏｗ信号）は遮断動作して１２Ｖ電源電圧が出力されず、ゲートドライバ２３が動作しないよう構成されている。
【００２８】
本実施形態の周波数設定回路２４は、抵抗器ＲとキャパシタＣとによって構成されるＲＣ直列回路により構成されており、ゲートドライバ２３のＲＴ端子から出力されるパルス波形をＲＣ直列回路の入力側に入力させ、ＲＣ直列回路の積分動作によって出力される電圧がゲートドライバ２３のＣＴ端子に入力される。このＲＣ直列回路の出力電圧が所定の閾値まで立ち上がるとゲートドライバ２３がスイッチング動作するよう構成されており、ＲＣ直列回路の時定数に応じてスイッチング周波数が設定される。
【００２９】
インバータ回路２１の除菌灯駆動電流出力部には、除菌灯１８の両極のフィラメント１８ａ，１８ｂ、インダクタＬ及びキャパシタＣ１，Ｃ２からなる共振回路が接続されており、インバータ回路２１の出力周波数が共振回路の共振周波数になると除菌灯１８が点灯するように構成されている。なお、点灯後は除菌灯１８自体が導通して共振回路のインピーダンスが低下するため、点灯開始時の駆動電流が最も大きくなり、点灯と同時に駆動電流が瞬時に降下して、点灯後の共振回路のインピーダンス、インバータ回路２１の電源電圧（すなわち１００Ｖ）、並びに、インバータ回路２１のスイッチング周波数に応じた駆動電流値で点灯後は安定する。
【００３０】
本実施形態では、インバータブリッジ２２とカレントトランス３３の一次側コイルとの間に、上記共振回路のインダクタＬが設けられている。なお、除菌灯駆動電流を検出するためのカレントトランス３３の一次側コイルを上記共振回路のインダクタＬとして用いることもできる。また、キャパシタＣ１は両極のフィラメント１８ａ，１８ｂ間に接続され、キャパシタＣ２は負極側電極１８ｂとグラウンドとの間に接続されている。
【００３１】
カレントトランス３３の出力電流はダイオードブリッジ３４によって整流されて負荷抵抗ＲＬに供給され、この負荷抵抗ＲＬに除菌灯駆動電流に比例する電流検出電圧が生じるよう構成されている。
【００３２】
電流検出電圧は断線検知回路３５に入力されている。断線検知回路３５は、電流検出電圧が所定の閾値未満になると断線検知信号を制御部２０に出力するよう構成されている。これにより、除菌灯１８の電極１８ａ，１８ｂの断線により除菌灯１８に駆動電流が流れていないことを検出でき、制御部２０は、点灯指令信号を出力しているにもかかわらず駆動電流が流れていないことを検出した場合に除菌灯１８の断線であると判定して、除菌運転を停止するとともに、図示しないリモコンに対して断線であることの報知指令を出力するよう構成できる。
【００３３】
また、本実施形態では、除菌灯１８の駆動電流波形を制御部２０のＡ／Ｄ入力ポートに出力する駆動電流波形出力回路３６が設けられている。該回路３６は、例えば、カレントトランス３３の二次側コイルの出力部にカップリングコンデンサを接続し、該カップリングコンデンサの出力にバイアス電圧を印加することで、駆動電流波形を制御部２０のＡ／Ｄ入力ポートの入力電圧範囲の電圧波形に変換して出力するよう構成できる。
【００３４】
制御部２０は、上記Ａ／Ｄ入力ポートの入力電圧を所定のサンプリングタイミングでサンプリングすることによって除菌灯駆動電流波形を取得し、適宜演算によって駆動電流の実効値並びに周波数等を取得可能に構成されている。
【００３５】
また、制御部２０は、リモコンから除菌運転開始指令がなされると除菌運転モードで動作し、除菌運転停止指令がなされると除菌運転停止モードで動作する。除菌運転停止モードは、除菌灯１８の点灯動作制御を行わないモードである。
【００３６】
なお、リモコンは、除菌運転開始操作がなされるか、或いは、除菌運転予約設定時刻になるか、或いは、湯はり動作に関連して湯はり完了から所定時間経過後に、除菌運転開始指令を制御部２０に出力する。また、除菌運転停止操作がなされるか、或いは、除菌運転予約設定時刻から除菌運転継続設定時間を経過するか、或いは、湯はり動作に関連する除菌運転開始指令出力後所定時間を経過すると、除菌運転停止指令を制御部２０に出力する。除菌運転予約設定時刻、並びに、除菌運転継続設定時間はユーザー操作によって設定操作可能となされており、例えば０時０分に除菌運転を開始し、除菌運転を６時間継続するなどの設定が可能となっている。また、除菌運転継続設定時間は、通常の設定操作では例えば６時間を超える長時間を設定できないように構成するとともに、適宜の操作ボタンの長押し操作などの特殊な操作によって６時間を超える長時間運転モードを設定可能となるように構成できる。
【００３７】
また、リモコンは、除菌運転の終了予定時刻を設定可能に構成することもでき、除菌運転の終了予定時刻が設定された場合には、所定の点灯設定時間（例えば３０分間）の除菌灯１８の点灯動作を少なくとも１回行った後に終了予定時刻に除菌運転を終了させることを可能とする除菌運転開始時刻を算出して、この算出した時刻に除菌運転開始指令を出力するよう構成することもできる。また、リモコンは操作や表示等に関する単なる入出力装置として機能させ、上記したリモコンの除菌運転開始制御並びに終了制御を給湯装置１の制御部２０に実行させることもできる。
【００３８】
制御部２０は、除菌運転モードで動作中、インバータ回路２１をオン動作させるための除菌灯点灯指令信号（例えばＨｉｇｈ信号）を出力するオン制御状態と、インバータ回路２１をオフ動作させるための除菌灯消灯指令信号（例えばＬｏｗ信号）を出力するオフ制御状態とに、所定時間ごとに間欠的かつ自動的に切り替わるよう構成されている。例えば、除菌運転モード時は、除菌灯１８の点灯動作を所定の点灯設定時間（例えば３０分間）単位で行い、点灯設定時間点灯させた後に所定の消灯設定時間（例えば９０分間）のインターバル期間を空けて、間欠的に点灯動作を行うよう構成されている。この点灯設定時間および消灯設定時間の初期値は予め制御部２０若しくはリモコンに備えられた不揮発性メモリなどの適宜の記憶手段に記憶されている。
【００３９】
さらに、制御部２０は、除菌灯点灯指令信号の出力開始により除菌灯１８が点灯した直後、より好ましくは除菌灯点灯指令信号の出力開始から除菌灯の予熱動作を勘案した時間経過後（例えば１〜２秒後）に、除菌灯駆動電流の大きさに基づく図３に示す除菌灯点灯時間調整処理を実行するよう構成されている。すなわち、まず駆動電流波形出力回路３６からの入力電圧に基づいて除菌灯駆動電流値（より正確には駆動電流波形の実効値）を演算により取得する。この駆動電流値が正常範囲内であることが確認できれば点灯設定時間を調整することなく点灯時間調整処理を終了して、通常動作を継続する。
【００４０】
一方、駆動電流値が正常範囲の上限閾値を超えている場合には、点灯設定時間を３０分から２０分に短縮することで除菌灯１８の点灯時間の割合（上記オン制御状態の占める時間の割合）を小さくするとともに、除菌運転継続設定時間の長時間運転モードの設定を無効化し、加えて、その後の長時間運転モードの設定操作も禁止するようリモコンに指令を送出する。これにより、除菌灯１８は、２０分間点灯動作した後、９０分間のインターバル期間（消灯時間）を空けるというサイクルで間欠的な点消灯動作を除菌運転終了時刻まで繰り返すようになる。
【００４１】
また、駆動電流値が正常範囲の下限閾値より小さい場合には、点灯設定時間を３０分から４０分に延長することで除菌灯１８の点灯時間の割合（上記オン制御状態の占める時間の割合）を大きくする。これにより、除菌灯１８は４０分間点灯動作した後、９０分間のインターバル期間（消灯時間）を空けるというサイクルで間欠的な点消灯動作を除菌運転終了時刻まで繰り返すようになる。
【００４２】
点灯設定時間の調整が行われた場合には、リモコンによって除菌灯駆動電流が異常値であることを報知するよう構成することが好ましい。
【００４３】
なお、除菌灯点灯時間調整処理は、除菌灯１８の点灯開始毎、すなわち除菌灯点灯指令信号の開始の度に、その際の点灯設定時間のみを調整するために行われてもよいし、また、除菌運転モードでの動作開始後の最初の除菌灯１８の点灯開始時に除菌灯点灯時間調整処理を実行して、２回目以降の除菌灯１８の点灯時間は、最初の除菌灯１８の点灯開始時に行われた除菌灯点灯時間調整処理により調整された点灯設定時間とすることもできる。また、点灯設定時間の増減に併せて、１回の点消灯サイクルの時間が変動しないように、点灯設定時間を延長する場合には消灯設定時間を短縮し、また、点灯設定時間を短縮する場合には消灯設定時間を延長してもよい。
【００４４】
本発明は上記実施形態に限定されるものではなく、適宜設計変更できる。
【００４５】
例えば、上記実施形態では追い焚き給湯路６にＵＶユニットを設けたが、主給湯路２や注湯路４の中途部にＵＶユニットを設けてもよいし、また、貯湯式給湯装置の場合には貯湯タンクにＵＶユニットを設けることもできるし、また、浴槽にＵＶユニットを付設することもできる。
【００４６】
また、上記実施形態では、除菌灯の点灯と消灯の１サイクルにおける点灯時間と消灯時間との比率を点灯時間を延長若しくは短縮することにより調整したが、１回の除菌運転モードの開始から終了までの全期間における総点灯時間と総消灯時間との比率を調整するように点灯時間及び／又は消灯時間を調整するよう構成することもできる。
【００４７】
また、上記実施形態では除菌灯１８の点灯開始時に点灯設定時間調整処理を行う例を示したが、除菌灯１８の点灯制御中は駆動電流値を常時監視して、点灯制御中の駆動電流値の平均値（例えば移動平均値）に応じてリアルタイムで点灯設定時間を調整し、調整後の点灯設定時間経過時刻の到来によって除菌灯１８を消灯動作（インターバル動作）させるよう構成することもできる。
【００４８】
また、上記実施形態では除菌灯駆動電流値を直接監視可能に構成したが、駆動電流値を推定可能な他の適宜の値に基づいて駆動電流値の大きさを推定可能に構成することができる。例えば、図４に示す別の実施形態においては、除菌灯駆動電流の電源としてインバータ回路２１に供給される１００Ｖ電源の電圧、並びに、インバータ回路２１の発振周波数を制御部２０が監視して、これら電源電圧及び／又は発振周波数に基づいて駆動電流の大きさを推定するよう制御部２０を構成できる。具体的には、電源電圧が高いほど駆動電流が大きいと推定して点灯時間の占める割合を小さくしたり、また、発振周波数が高いほど駆動電流が小さいと推定して点灯時間が占める割合を大きくするよう構成できる。
【００４９】
なお、電源電圧の監視は、１００Ｖ電源電圧を分圧して検出電圧を出力する電源電圧監視回路４０の出力電圧を制御部２０のＡ／Ｄ入力ポートに入力することにより行うことができる。また、発振周波数の監視は、例えば、ゲートドライバ２３のＲＴ端子出力波形に応じた検出パルス波形を発振周波数監視回路４１で生成し、該検出パルス波形を制御部２０に入力することにより行うことができる。これらの回路構成は例示であって、適宜の回路構成とすることができる。例えば、インバータブリッジ２２のスイッチング素子を駆動するためのゲートドライバ２３の制御パルス出力に基づいて発振周波数を監視することもできる。
【００５０】
除菌灯１８の点灯制御時にこれら電源電圧並びに発振周波数を常時監視してリアルタイムで点灯設定時間をリニアに増減調整してもよいし、また、図５に示すように、電源電圧及び発振周波数のそれぞれが正常範囲を逸脱した場合に、点灯設定時間を所定量延長若しくは短縮するよう構成することもできる。すなわち、図５は、除菌運転モード中に除菌灯１８の点灯を開始した直後に点灯設定時間調整処理を実行する例を示しており、電源電圧が正常範囲内（例えば９５〜１０５Ｖ）であり、且つ、発振周波数が正常範囲内（例えば５６ｋＨｚ〜６４ｋＨｚ）であれば、点灯設定時間は初期設定値の３０分のまま調整を行わずに点灯設定時間調整処理を終了して、通常動作を継続する。
【００５１】
一方、電源電圧が上限閾値（１０５Ｖ）よりも高ければ、点灯設定時間を２０分に短縮するとともに長時間運転モードの禁止などの動作制限を行うとともに、リモコンに異常情報の表示などの異常報知指令を出力して、点灯設定時間調整処理を終了する。また、電源電圧が下限閾値（９５Ｖ）よりも低ければ、点灯設定時間を４０分に延長して、リモコンに異常情報の表示などの異常報知指令を出力し、点灯設定時間調整処理を終了する。
【００５２】
また、電源電圧が正常範囲内であっても、発振周波数が上限閾値（６４ｋＨｚ）よりも高ければ、点灯設定時間を４０分に延長して、リモコンに異常情報の表示などの異常報知指令を出力し、点灯設定時間調整処理を終了する。また、発振周波数が下限閾値（５６ｋＨｚ）よりも低ければ、点灯設定時間を２０分に短縮するとともに長時間運転モードの禁止などの動作制限を行うとともに、リモコンに異常情報の表示などの異常報知指令を出力して、点灯設定時間調整処理を終了する。
【００５３】
なお、発振周波数の正常判定を行った後に電源電圧の正常判定を行うように構成することもできる。また、電源電圧に基づく点灯設定時間の調整後に、さらに発振周波数に基づく点灯設定時間の調整を重畳的に行うこともできる。
【符号の説明】
【００５４】
１  湯水除菌装置（除菌機能付き給湯装置）
１８  除菌灯
２０  制御部
２１  除菌灯駆動回路（インバータ回路）
【図１】
2018134622.tif 000003
【図２】
2018134622.tif 000004
【図３】
2018134622.tif 000005
【図４】
2018134622.tif 000006
【図５】
2018134622.tif 000007